(57)【要約】      （修正有）【課題】効率よく現像剤収納容器内の残留現像剤を低減する。【解決手段】現像剤収納容器５０の内部に収納されている現像剤を排出口に搬送する搬送手段を回転駆動する現像剤搬送駆動ユニット４４であって、搬送手段４４の回転と連動して現像剤収納容器５０に振動を加える振動付与手段９０を備え、振動付与手段は、搬送手段の回転と連動して回転するアーム部９１Ａを有する回転部材９１と、回転部材のアーム部の移動軌道上に少なくともその一部が配置され、アーム部が回転動作したときに現像剤収納容器に向かって弾性形成し、現像剤収納容を叩く弾性部材９３を有する。【選択図】図４
2014126785.tif 000002
【特許請求の範囲】
【請求項１】
現像剤収納容器の内部に収納されている現像剤を排出口に搬送する搬送手段を回転駆動する現像剤搬送駆動ユニットであって、
前記搬送手段の回転と連動して前記現像剤収納容器に振動を加える振動付与手段を備え、
前記振動付与手段は、前記搬送手段の回転と連動して回転するアーム部を有する回転部材と、前記回転部材のアーム部の移動軌道上に少なくともその一部が配置され、前記アーム部が回転動作したときに前記現像剤収納容器に向かって弾性形成し、当該現像剤収納容を叩く弾性部材を有することを特徴とする現像剤搬送駆動ユニット。
【請求項２】
前記弾性部材と、前記弾性部材によって叩かれる前記現像剤収納容器の部位との間に消音部材を配置したことを特徴とする請求項１の現像剤搬送駆動ユニット。
【請求項３】
上記弾性部材は、その一端が固定され、他端が前記アーム部の移動軌道上に配置されていて、前記他端側に慣性部材を有することを特徴とする請求項１の現像剤搬送駆動ユニット。
【請求項４】
排出口を有し、内部に現像剤が収納されている現像剤収納容器と、前記現像剤収納容器の内部に収納されている現像剤を前記排出口に搬送する搬送手段と、前記搬送手段を回転駆動する現像剤搬送駆動ユニットを備え、
前記現像剤搬送駆動ユニットが請求項１乃至３の何れか１項に記載の現像剤搬送駆動ユニットであることを特徴とする現像剤補給装置。
【請求項５】
像担持体と、像担持体上に形成される潜像を現像剤で現像する現像装置と、前記現像装置へ現像剤を供給する現像剤補給装置を備えた画像形成装置において、
前記現像剤補給装置が請求項４の現像剤補給装置であることを特徴とする画像形成装置。
【発明の詳細な説明】
【技術分野】
【０００１】
本発明は、現像剤収納容器の搬送手段を駆動する現像剤搬送駆動ユニット、現像剤搬送駆動ユニットを備えた現像剤補給装置及びこれを備えた電子写真方式の画像形成装置に関する。
【背景技術】
【０００２】
複写機、プリンタ、ファクシミリ、又は、これら機能を備えた複合機等の電子写真方式を用いた画像形成装置では、像担持体上の潜像に現像装置で現像剤を供給することで、潜像を可視像化している。このため、現像装置内の現像剤は使用に伴い低減するので、画像形成装置は、現像装置に現像剤を供給（補給）するための現像像補給装置を備えている。
現像剤補給装置は、現像剤が収納された現像剤収納容器と、現像剤収納容器内の現像剤を容器外に排出する搬送手段と、現像剤収納容器を装着する収納部を備えている。現像剤補給装置は、現像装置内の現像剤量が低減すると、図示しない駆動ユニットで搬送手段を駆動して現像剤収納容器内の現像剤を容器外に排出し現像装置に供給するように作動する。
現像剤収納容器は、収納部に対して着脱可能に構成されていて、内部の現像剤がなくなると交換可能とされている。このため、交換時に現像剤収納容器内の現像剤が全てなくなっているのが理想的であるが、実際には容器内面に付着して容器内に排出できないあるいは排出されない現像剤はあり、この残留現像剤を如何に低減するかが課題としてある。
特許文献１では、現像剤収納容器内の残留現像剤を低減する目的で、現像剤収納容器を傾ける構成が開示されている。しかしながら、単に現像剤収納容器を傾けただけでは、容器内面に付着する残留現像剤を効率よく低減することは難しい。
【発明の概要】
【発明が解決しようとする課題】
【０００３】
本発明は、上述のような課題を解決するためになされたもので、効率よく現像剤収納容器内の残留現像剤を低減することを、その目的とする。
【課題を解決するための手段】
【０００４】
前記目的を達成するため、本発明に係る現像剤搬送駆動ユニットは、排出口を有する現像剤収納容器の内部に収納されている現像剤を前記排出口に搬送する搬送部材を回転駆動するものであって、搬送部材の回転と連動して現像剤収納容器に振動を加える振動付与手段を備え、振動付与手段は、搬送部材の回転と連動して回転するアーム部を有する回転部材と、回転部材のアーム部の移動軌道上に少なくともその一部が配置され、アーム部が回転動作したときに現像剤収納容器に向かって弾性形成し、現像剤収納容を叩く弾性部材を有することを特徴としている。
【発明の効果】
【０００５】
本発明によれば、搬送部材の回転と連動して現像剤収納容器に振動を加える振動付与手段が、送部材の回転と連動して回転するアーム部を有する回転部材と、回転部材のアーム部の移動軌道上に少なくともその一部が配置され、アーム部が回転動作したときに現像剤収納容器に向かって弾性形成して現像剤収納容を叩く弾性部材を有するので、搬送部材が回転駆動すると現像剤収納容器に振動が与えられるため、現像剤収納容器の内面に付着している現像剤を容器内に落とすことができ、効率よく現像剤収納容器内の残留現像剤を低減することができる。
【図面の簡単な説明】
【０００６】
【図１】本発明の一実施形態を示す画像形成装置の概略正面図。
【図２】本発明に係る現像剤補給装置の概略構成を示す斜視図であり、（ａ）は現像剤補給装置の補給ドアが開いた状態を示し、（ｂ）は現像剤補給装置の補給ドアが閉じた状態を示す。
【図３】現像剤収納容器の構成を示す図。
【図４】本発明に係る現像剤搬送駆動ユニットと振動付与手段の構成を示す拡大斜視図。
【図５】本発明に係る現像剤搬送駆動ユニットの振動付与手段近傍の構成を示す拡大正面視図。
【図６】振動付与手段の作用を説明する側面視図。
【図７】振動付与手段に消音部材を配置した構成を示す側面視図。
【図８】振動付与手段に慣性部材を配置した構成を示す側面視図。
【図９】（ａ）、（ｂ）は振動板の変形例を示す正面図。
【発明を実施するための形態】
【０００７】
以下、本発明の実施形態について図面を用いて説明する。最初に画像形成装置の全体構成と動作を説明し、次に特徴部分について説明する。
図１は、本発明を適用した画像形成装置となる電子写真方式のプリンタを示す。このプリンタには、イエロー、シアン、マゼンタ、ブラックの４色の現像剤を用いてカラー画像を形成するものである。図中、符号の末尾に付すＹ、Ｃ、Ｍ、Ｋという添字は、イエロー、シアン、マゼンタ、ブラック用の部材であることを示す。
【０００８】
プリンタは、その本体１００の内部に、転写手段として転写ユニット２０を備えている。転写ユニット２０は、複数のローラ２１、２２に、中間転写体となる中間転写ベルト２３が巻きかけられている。無端状の中間転写ベルト２３は、図示しない駆動モータによって図中反時計回り方向に無端移動される。中間転写ベルト２３の内側ループ内には、１次転写部材となる４つの１次転写ローラ２４Ｙ、２４Ｃ、２４Ｍ、２４Ｋがベルトに接するように配置されている。中間転写ベルト２３の外側には、ローラ２１と対向する位置に２次転写部材となる２次転写ローラ２５が配置されている。符号２６は、中間転写ベルト２３の表面を清掃するベルトクリーニング手段を示している。１次転写ローラ２４Ｙ、２４Ｃ、２４Ｍ、２４Ｋには、図示しない電源から１次転写バイアスが供給され、２次転写ローラ２５には、２次転写バイアスが図示しない電源から供給される。
【０００９】
転写ユニット２０の上方には、作像手段としてＹ、Ｃ、Ｍ、Ｋ用の４つの画像形成ユニットが、中間転写ベルト２３の上部張架面に沿ってベルト移動方向に並ぶように配設されている。各画像形成ユニットは、像担持体となるドラム状の感光体１１Ｙ、１１Ｃ、１１Ｍ、１１Ｋ、帯電手段１２Ｙ、１２Ｃ、１２Ｍ、１２Ｋ、現像手段１３Ｙ、１３Ｃ、１３Ｍ、１３Ｋを備えている。また、各画像形成ユニットは、ドラムクリーニング装置１４Ｙ、１４Ｃ、１４Ｍ、１４Ｋをそれぞれ備えている。これら各部材は、図示しないケーシングによってユニット毎に一体化されていて、本体１００に対して着脱自在とされている。各感光体は、その周面の下部を、１次転写ローラ２４Ｙ、２４Ｃ、２４Ｍ、２４Ｋと対向する中間転写ベルト２３の上部張架面に当接させることで、Ｙ、Ｃ、Ｍ、Ｋ用の１次転写ニップを形成している。
【００１０】
画像形成ユニットの上方には書込ユニット３０が配置されている。書込ユニット３０は、画像情報に基づいて図示しない光源を駆動してＹ、Ｃ、Ｍ、Ｋ用の露光光を各感光体に照射して光走査することで、図中時計回り方向に回転駆動する各感光体の周面に静電潜像を形成する。
【００１１】
現像手段１３Ｙ、１３Ｃ、１３Ｍ、１３Ｋは、それぞれＹ、Ｃ、Ｍ、Ｋ色の現像剤が収納されていて、現像バイアスが供給される現像剤担持体によって、それぞれの現像剤を各感光体表面に供給することで、静電潜像を現像してトナー像を形成して可視像化している。現像手段１３Ｙ、１３Ｃ、１３Ｍ、１３Ｋの上部には、現像剤補給装置４０Ｙ、４０Ｃ、４０Ｍ、４０Ｋが配置されている。現像剤補給装置４０Ｙ、４０Ｃ、４０Ｍ、４０Ｋには、補給用の現像剤を内部に収納されている現像剤収納容器５０Ｙ、５０Ｃ、５０Ｍ、５０が着脱可能に装着されている。現像手段１３Ｙ、１３Ｃ、１３Ｍ、１３Ｋには、その内部の現像剤濃度が低減すると、現像剤補給装置４０Ｙ、４０Ｃ、４０Ｍ、４０Ｋが作動することで、現像剤収納容器５０Ｙ、５０Ｃ、５０Ｍ、５０内の現像剤が供給される。
【００１２】
転写ユニット２０の下方には、記録材Ｐが収納された給紙部６０が配置されている。給紙部６０の記録材Ｐは、給紙ローラ６１によって給紙部６０から搬送経路６２へ送り出される。搬送経路６２には、給紙部６０から送り出された記録材Ｐを２次転写ニップに向けて搬送する搬送ローラ６３とレジストローラ６４が配置されている。搬送経路６２の記録材Ｐは、レジストローラ６４によって、中間転写ベルト２３上のトナー像とタイミングを合わせて２次転写ニップに搬送される。二次転写ニップよりも装置上方には、定着手段７０が配置されていて、定着手段７０よりも記録材の搬送方向下流側には、排紙ローラ６５が配置されている。
【００１３】
このような構成のプリンタでは、カラー画像形成時には、各色の感光体表面に形成されたトナー像が、１次転写ニップにおいて中間転写ベルト２３上に重ね合わせて転写され、当該転写トナー像が２次転写ニップにおいて記録材Ｐに一括転写される。転写後の各感光体はドラムクリーニング装置１４Ｙ、１４Ｃ、１４Ｍ、１４Ｋによって、転写後の中間転写ベルト２３はベルトクリーニング手段２６によって、それぞれその表面に残留している現像剤や紙粉などが除去される。
トナー像を転写された記録材Ｐは定着手段７０を通過することでトナー像が定着され、排紙ローラ６５によって本体１００の外部に排出され、この例では本体上面に形成された積載部６６にスタックされる。
【００１４】
次に現像剤補給装置と現像剤収納容器の構成について説明する。
本形態において、各色の現像剤補給装置４０Ｙ、４０Ｃ、４０Ｍ、４０Ｋと、現像剤収納容器５０Ｙ、５０Ｃ、５０Ｍ、５０Ｋは、現像剤の色が異なる以外は同一構成であるので、共通の構成としてその１つを以下に説明する。なお、添字であるＹ、Ｃ、Ｍ、Ｋは省略する。
【００１５】
図２（ａ）、図２（ｂ）に示すように、現像剤補給装置４０は、現像剤収納容器５０、現像剤収納容器５０を着脱可能に支持する収納部４１、現像剤搬送駆動ユニット４４を備えている。現像剤補給装置４０は、現像剤収納容器５０内の現像剤を、対応する色の現像装置１４に供給するものである。
収納部４１は、その内部に現像剤収納容器５０を収納するための開口４２と、開口４２を開閉するドア４３を有している。収納部４１は、その内部形状が現像剤収納容器５０の概観形状と近似する形状とされていて、符号Ａで示す着脱方向に移動自在に現像剤収納容器５０を保持する。符号Ａ１は挿入方向、符号Ａ２は離脱方向をそれぞれ示す。
【００１６】
図２（ａ）は４つの現像剤収納容器５０をそれぞれ収納する開口４２が形成された構成を示している。図２（ａ）は１つ現像剤収納容器５０が収納部４１に収納されている状態と、ドア４３の開状態を示している。図２（ｂ）はドア４３の閉状態を示していて、この状態において開口４２は塞がれている。ドア４３は、画像形成装置の本体１００の外装面に位置していて、本体１００の外部から開閉操作可能とされている。
現像剤収納容器５０は、図３に示すように、外観着脱方向Ａに長い箱であって、内部の下半分が円弧形状とされていて、内部空間に図示しない現像剤が収納されている。現像剤収納容器５０の内部空間には、回転軸５８によって回転自在に支持された攪拌部材となるパドル５９が配置されている。パドル５９は、その基部５９ａの両端に弾性変形部材であるマイラ５９ｂが設けられている。このマイラ５９ｂは、容器内面５０Ｂに撓んで状態で接触する長さを有している。このため、パドル５９が現像剤搬送駆動ユニット４４によって回転されると、容器内の現像剤は、基部５９ａとマイラ５９ｂによって攪拌される。また、容器内面５０Ｂに付着した現像剤は、パドル５９の回転によりマイラ５９ｂが容器内面５０Ｂを摺接移動することで掻き落とされる。
【００１７】
現像剤収納容器５０の底部５０Ｃには、図３の紙面垂直方向の延びる排出部５０Ｄが形成されている。排出部５０Ｄの一端側には容器内部と外部とを連通する排出口５０Ｅが形成されている。排出部５０Ｄには、図３の紙面垂直方向の延びる搬送手段となるスクリュ５０１が配置されている。排出部５０Ｄ内の現像剤及び底部５０Ｃ周辺の現像剤は、スクリュ５０１が現像剤搬送駆動ユニット４４によって回転駆動されることで排出口５０Ｅへと搬送される。現像剤収納容器５０には、排出口５０Ｅを開閉するシャッタ５０２が装着されている。シャッタ５０２は、現像剤収納容器５０が収納部４１に装着される前は排出口５０Ｅを閉じていて、収納部４１に装着されると開かれて排出口５０Ｅを開放するように構成されている。
【００１８】
排出口５０Ｅと対向する収納部４１には現像剤貯留部４６が形成されている。現像剤貯留部４６は、排出口５０Ｅの下方に配置されていて、排出口５０Ｅから自重で落下する現像剤を一時的に貯留する。現像剤貯留部４６の内部には複数の搬送部材４６Ａ、４６Ｂ、４６Ｃ、４６Ｄが形成されている。現像剤貯留部４６の内の現像剤は、搬送部材４６Ａ、４６Ｂ、４６Ｃ、４６Ｄの回転によって攪拌されながら図３の紙面垂直方向に搬送されて、隣接する搬送部材へと受け渡され図示しない搬送経路を介して現像装置１４内へと供給される。つまり、現像剤収納容器５０からの現像剤の排出動作が行われる。
【００１９】
この排出動作は現像剤収納容器５０の現像剤量が減少し、現像剤貯留部４６に設けられた現像剤量検出手段となるセンサ５６が容器内部の現像剤量を定量維持できなくなったことを検出すると、現像剤なしと判定され、容器交換に関して報知する。しかし、容器交換時であっても現像剤収納容器５０内の現像剤が完全に無くなることは基本的無く、これは残留現像剤として画像形成に使用されない無駄なトナーとなる。コスト的な意味を考えると、残留現像剤量をいかに少なくするかは重要な課題と言える。
【００２０】
残留現像剤量の多少は、現像剤の性質と現像剤収納容器の形状に依存するが、近年の省エネ化を売りとする画像形成装置では、低温で定着可能な現像剤が多く、そのような現像剤は、流動性が悪く、圧力で凝集しやすいため容器内部から排出することが難しくなる。また、低コスト化も重視され、少スペースの中で現像剤収納容器を大きくする必要があり、その場合、回転駆動するパドル５９でカバーが出来ず滞留するトナー、例えば図３の肩部５０Ｆ、５０Ｇに付着する現像剤が出てくる。肩部５０Ｆ、５０Ｇに付着する現像剤は、最終的に排出されず、残留現像剤量を増やす原因となる。
【００２１】
そこで本形態では、図４に示すように、現像剤搬送駆動ユニット４４に現像剤収納容器５０に振動を加える振動付与手段９０を形成した。現像剤搬送駆動ユニット４４は、収納部４１における挿入方向Ａ１側に配置されていて、現像剤収納容器５０毎に設けられている。
【００２２】
現像剤搬送駆動ユニット４４は、駆動源となる駆動モータ４４Ａと、駆動伝達手段となる歯車輪列４４Ｂと、パドル５８とスクリュ５０１の回転軸と着脱するためのカップリング４４Ｃ、４４Ｄを備えている。これは部材と振動付与手段９０は、支持プレート４４Ｅに装着されて収納部４１に配置されている。支持プレート４４Ｅには、現像剤収納容器５０が収納部４１に装着された際の位置決めピン４４Ｆ、４４Ｇが設けられている。
歯車輪列４４Ｂは、駆動モータ４４Ａの回転駆動力をカップリング４４Ｃ、４４Ｄを介してパドル５８とスクリュ５０１に伝達するものである。歯車輪列４４Ｂは、駆動モータ４４Ａの出力軸に固定された駆動歯車Ｇ０と噛み合う歯車Ｇ１を初段とし、カップリング４４Ｃが設けられた歯車Ｇ６を最終段とする複数の歯車Ｇ１からＧ６で構成されている。このうち歯車Ｇ２には、カップリング４４Ｄが設けられている。本形態において、カップリング４４Ｃと４４Ｄは、同一方向に回転するように配置されている。なお、歯車Ｇ４と噛み合う歯車Ｇ７は、例えば現像剤貯留部４６に設けられた搬送部材４６Ａ、４６Ｂ、４６Ｃ、４６Ｄへ駆動モータ４４Ａからの回転駆動力を伝達する分岐用の歯車である。
【００２３】
振動付与手段９０は、パドル５８やスクリュ５０１の回転と連動して現像剤収納容器５０に振動を加えるものである。振動付与手段９０は、図４、図５に示すように、アーム部９１Ａを有する回転部材となる振動板９１と、アーム部９１Ａが回転動作したときに弾性形成して現像剤収納容器５０を叩く弾性部材となる板バネ９３を有している。
【００２４】
振動板９１は、歯車Ｇ６の回転と連動して回転するように、歯車Ｇ６と噛み合う歯車Ｇ８に固定されていて、図中時計回り方向に回転する。本形態において、振動板９１には、回転方向に等間隔で６本のアーム部９１Ａが形成されている。アーム部９１Ａは、歯車Ｇ８の外周面よりも突出して設けられていて、歯車Ｇ８が回転すると板バネ９３に一定の周期で下方から当接して撓ませるように構成されている。
【００２５】
板バネ９３は、その一端９３Ａが支持プレート４４Ｅに固定されていて、他端９３Ｂが自由端とされている。他端９３Ｂには、アーム部９１Ａの移動軌道上に位置するように、支持プレート４４Ｅから離脱方向Ａ２に向かって断面コの字状に屈曲形成されている。本形態では、屈曲部の下面をアーム部９１Ａとの当接部９３Ｃとし、下面９３Ｃと交差する方向に延びる端面を現像剤収納容器５０の端面５０Ａに衝突する衝突面９３Ｄとしている。すなわち、板バネ９３は、その一部となる当接部９３Ｃが移動軌道上に位置するように配置されている。
【００２６】
本形態において、板バネ９３は、下方から当接部９３Ｃにアーム部９１Ａが当接して移動することで、図６に示すように装着方向Ａ１に向かって撓み、アーム部９１Ａが通過すると、開放されてバネの反力によって離脱方向Ａ２に向かって弾性変形して移動する。このときの板バネ９３の変位量は、少なくとも収納部４１に装着された現像剤収納容器５０の端面５０Ａに衝突面９３Ｄが衝突して叩ける変位量に設定している。すなわち、板バネ９３は、アーム部９１Ａが回転動作したときに弾性形成して現像剤収納容器５０を衝突面９３Ｄで叩く弾性部材として機能する。板バネ９３の現像剤収納容器５０の装着方向Ａ１における幅は各歯車が存在する幅よりも小さい（狭く）構成されていて、省スペース化が図られている。ただし、衝突力を強めるために板バネ９３の曲げ量等を大きくして、図６に示した幅よりも大きく（広く）なっても構わない。
【００２７】
このような構成の振動付与手段９０を備えていると、収納部４１に現像剤収納容器５０が装着され、現像剤補給時期となって駆動モータ４４Ａが作動すると、歯車輪列４４Ｂを介して回転駆動力が歯車Ｇ８に伝達されて振動板９１が回転する。そしてアーム部９１Ａが当接部９３Ｃを断続的に通過する毎に、板バネ９３は装着方向Ａ１と離脱方向Ａ２へ往復運動を繰り返する。このとき、収納部４１に装着された現像剤収納容器５０の端面５０Ａが、離脱方向Ａ２へ移動した衝突面９３Ｄに周期的に叩かれる。これにより、現像剤収納容器５０に周期的な振動が与えられる。つまり、駆動モータ４４Ａが作動している現像剤補給時において、現像剤収納容器５０には断続的な振動が与えられることになる。
【００２８】
このため、容器内面５０Ｂに付着した現像剤や、肩部５０Ｆ、５０Ｇに残った現像剤が底部５０Ｃへと落下して供給に用いられるとともに、容器内面５０Ｂに付着する現像剤を低減することができるため、残留現像剤量を低減することができる。また、振動付与手段９０用に個別に駆動源を設けずに、従来から在るパドル５８やスクリュ５０１を駆動する現像剤搬送駆動ユニット４４の駆動力を用いて振動板９１を回転駆動するので、省スペース化とコスト低減を図ることができる。
本実施形態では、板バネ９３を側方に配設されている歯車Ｇ８のアーム部９１Ａの回転運動によって板バネ９３を撓ませるので、現像剤収納容器５０の装着方向Ａ１における幅を小さくすることができ、この点からも省スペースを図ることができる。
【００２９】
上記形態では、板バネ９３の衝突面９３Ｄを直接、現像剤収納容器５０の端面５０Ａに衝突させているので、その際の打音や、端面５０Ａに衝突した反力で板バネ９３が戻ることで発生するビビリ音が気になることが想定される。このため、図７に示すように、板バネ９３の衝突面９３Ｄと、衝突面９３Ｄによって叩かれる現像剤収納容器５０の部位となる端面５０Ａとの間に消音部材９７を配置する。消音部材９７としては、ゴムやスポンジなどの吸音効果の高いものを用いる。設置形態としては、端面５０Ａの少なくも板バネ９３の衝突面９３Ｄに叩かれる部位、あるいは端面５０Ａの全面、あるいは板バネ９３の衝突面９３Ｄに設置することが挙げられる。図７では、板バネ９３側に設置している。このように消音部材９７を設けることで、板バネ９３の衝突面９３Ｄによる打音を低減することができる。
【００３０】
図７に示すように、消音部材９７を設けてしまうと、板バネ９３の衝突面９３Ｄが現像剤収納容器５０に衝突した際の衝撃力が吸収されてしまうことが想定される。この場合には、図８に示すように板バネ９３の他端側９３Ｂに慣性部材として重り９８を装着固定する。本形態では、断面コの字状に屈曲部の内部に配置してネジで固定している。
このよう重り９８を自由端である他端９３Ｂ側に設けると、打音の周波数を変更することが出来るとともに、衝撃力を確保することが出来るので好ましい。重り９８としては、板バネ９３と同一の材質のものでも良いが、板バネ９３の振動周波数と異なる材質を重りとして用いると、効果的に打音を低減することができる。
【００３１】
上記形態では、振動板９１に６本のアーム部９１Ａを形成し、振動板９１の１回転当たり６回の振動を現像剤収納容器５０に与えるようにしているが、アーム部９１Ａの数は一例に過ぎず、６本に限定されるものではない。例えば図９（ａ）に示すように３本、図９（ｂ）に示すように１本であってよい。これらアーム部９１Ａの本数は、現像剤収納容器５０の容積や収納される現像剤の種類、打音の発生具合から適宜、設定すれば良い。例えば、低温で定着可能な低融点の現像剤の場合には、容器内面５０Ｂに付着しやすいため、連続的に衝撃を現像剤収納容器５０に与えられるように、アーム部５１Ａの本数は多くするのが好ましいといえる。
【００３２】
上述した実施形態では画像形成装置をカラープリンタとして説明したが、本発明が適用可能な画像形成装置はこれに限られず、複写装置、ファクシミリ、プロッタ等の他の画像形成装置にも適用可能である。
【符号の説明】
【００３３】
１１（Ｙ、Ｃ、Ｍ、Ｋ）像担持体
１４（Ｙ、Ｃ、Ｍ、Ｋ）現像装置
４０（Ｙ、Ｃ、Ｍ、Ｋ）現像剤補給装置
４４            現像剤搬送駆動ユニット
５０            現像剤収納容器
５０Ａ          叩かれる現像剤収納容器の部位
５０Ｅ          排出口
９０            振動付与手段
９１            回転部材
９１Ａ          アーム部
９３            弾性部材
９３Ａ          一端
９３Ｂ          他端
９３Ｃ          弾性部材の一部
９７            消音部材
９８            慣性部材
５０１          搬送手段
Ｒ              移動軌道
【先行技術文献】
【特許文献】
【００３４】
【特許文献１】特開２０１１−６４７７５号公報
【図１】
2014126785.tif 000003
【図２】
2014126785.tif 000004
【図３】
2014126785.tif 000005
【図４】
2014126785.tif 000006
【図５】
2014126785.tif 000007
【図６】
2014126785.tif 000008
【図７】
2014126785.tif 000009
【図８】
2014126785.tif 000010
【図９】
2014126785.tif 000011